(57)【要約】      （修正有）【課題】ラチェット機能を備えたオープンエンドスパナを提供する。【解決手段】回動ヘッド１０、第１ラチェット具２０と、第１弾性部材３０と、を備える。第１ラチェット具は、回動ヘッドの第１枢設部１１３に設置していて、第１ラチェット具は、第１枢設部に対して枢転する。第１弾性部材は、第１端３１と第２端３２とを有する。第１弾性部材の第１端は、回動ヘッドの第１係止部１１４に当設していて、第１弾性部材の第２端は、第１ラチェット具を突つき、オープンエンドスパナは、第１方向と第２方向にて切換え回動することができる。オープンエンドスパナは、第１方向に切換えられたとき、オープンエンドスパナは被駆動体に対してし、第１ラチェット具は、被駆動体に対してラチェット回動する。オープンエンドスパナは、第２方向に切り換えられたとき、オープンエンドスパナは、被駆動体に対して回動することができる。【選択図】図３
0003169772.tif 000002
【実用新案登録請求の範囲】
【請求項１】
回動ヘッド、第１ラチェット具、第１弾性部材と、を備えた、ラチェット機能を備えたオープンエンドスパナであって、
前記回動ヘッドは、第１表面と第２表面を有し、前記回動ヘッドは、第１締め付け顎、第２締め付け顎と、締め付け顎口部と、を有する、前記第１締め付け顎は、前記第２締め付け顎と対向を形成していて、かつ前記締め付け顎口部は、前記第１締め付け顎と前記第２締め付け顎との間に位置する、前記第１締め付け顎は、第１収容溝を設置していて、前記第１収容溝は、第１枢設部と第１係止部を有し、前記締め付け顎口部によって被駆動体を収容する、
前記第１ラチェット具は、第１枢設部に設置していて、前記第１ラチェット具は、前記第１枢設部に対して、枢転することができる、
前記第１弾性部材は、第１端と第２端を有し、前記第１弾性部材３０の前記第１端は、前記第１係止部に当接していて、前記第１弾性部材の前記第２端は、前記第１ラチェット具の第１寄り掛かり部を押し込むことができる、オープンエンドスパナは、第１方向と第２方向の間にて、切換え回動することができる、オープンエンドスパナが第１方向に回動するとき、オープンエンドスパナは、被駆動体に対して空転を形成し、前記第１ラチェット具は、前記被駆動体に対して、ラチェット運動する、オープンエンドスパナが第２方向に回動するとき、オープンエンドスパナは、前記被駆動体を駆動回動することができる。
【請求項２】
前記第１締め付け顎は、第１固定穴を設置していて、前記第１ラチェット具は、第１本体と第１軸具を有し、前記第１本体は、第１枢支穴を有し、前記第１軸具は、前記第１固定穴に固定することを特徴とする請求項１記載のラチェット機能を備えたオープンエンドスパナ。
【請求項３】
前記第１本体は、第１枢転部、第１ラチェット部と、第１寄り掛かり部とを有する、前記第１枢転部は、前記第１枢設部に設置し、前記第１ラチェット部と前記第１寄り掛かり部は、前記締め付け顎口部に露出していて、前記第１本体が前記被駆動体に噛み合わせているとき、前記第１ラチェット部と前記被駆動体は、線の接触を形成していて、前記第１弾性部材の前記第２端は、前記第１ラチェット具の前記第１寄り掛かり部を押し込むことができることを特徴とする請求項２記載のラチェット機能を備えたオープンエンドスパナ。
【請求項４】
前記第１ラチェット部は、前記第１本体が前記第１枢転部の反対端の外部周縁に位置していて、前記第１ラチェット部は、凸弧状を形成することを特徴とする請求項３記載のラチェット機能を備えたオープンエンドスパナ。
【請求項５】
前記第１寄り掛かり部は、前記第１ラチェット部より、前記第１本体の軸方向に沿って延在することを特徴とする請求項４記載のラチェット機能を備えたオープンエンドスパナ。
【請求項６】
前記第１収容溝は、Ｕ字型を形成し、前記第１収容溝は、２つの第１収容部を有し、２つの前記第１収容部は、それぞれ前記第１表面と前記第２表面に設置していて、前記第１本体は、Ｕ字型を形成し、２つの前記第１枢転部と、２つの前記第１ラチェット部を有する、前記第１枢転部と前記第１ラチェット部は、それぞれ対向する両端に位置し、前記第１寄り掛かり部は、対向する２つの前記第１枢転部に連絡していて、かつ、前記第１寄り掛かり部は、同時に対向する２つの前記第１ラチェット部に連絡することを特徴とする請求項３記載のラチェット機能を備えたオープンエンドスパナ。
【請求項７】
前記第１枢転部の外部周縁は、円弧形を形成していて、前記第１枢設部はさらに、第１係止面を有し、前記第１係止面は、前記第１係止部の遠方にあり、前記第１枢転部は、前記第１係止面に設置することを特徴とする請求項６記載のラチェット機能を備えたオープンエンドスパナ。
【請求項８】
前記第１ラチェット部は、平坦状を形成することを特徴とする請求項６記載のラチェット機能を備えたオープンエンドスパナ。
【請求項９】
前記締め付け顎口部は、開口端を有し、前記開口端は、２つの平坦表面を有する、２つの前記平坦表面の間は、前記開口端である、前記締め付け顎口部はさらに、弧形溝を有し、前記弧形溝は、前記第１収容溝に連絡し、前記平坦表面は、前記弧形溝に向かって、仮想線を延在していて、前記第１ラチェット部は、前記仮想線を超えていないことを特徴とする請求項３ないし請求項８のいずれか記載のラチェット機能を備えたオープンエンドスパナ。
【請求項１０】
前記第１ラチェット部は、さらに前記第１係止面を有し、前記第１係止面は、前記第１係止部の遠方に位置することを特徴とする請求項９記載のラチェット機能を備えたオープンエンドスパナ。
【請求項１１】
前記第１本体は、三日月状を形成していて、前記第１係止面は、前記第１係止部の付近部に位置することを特徴とする請求項１ないし請求項５のいずれか記載のラチェット機能を備えたオープンエンドスパナ。
【請求項１２】
前記第１本体は、メニスカス状を形成していて、前記第１係止面は、前記第１係止部の付近部に位置することを特徴とする請求項１ないし請求項５のいずれか記載のラチェット機能を備えたオープンエンドスパナ。
【請求項１３】
第２ラチェット具と、第２弾性部材をさらに有し、前記回動ヘッドの前記第２締め付け顎は、第２収容溝を設置し、前記第２収容溝は、第２枢設部と第２係止部とを有する、前記第２ラチェット具は、前記第２枢設部に設置し、前記第２ラチェット具は、前記第２枢設部に対して枢転することができる、前記第２弾性部材は、前記第１端と前記第２端を有し、前記第２弾性部材の前記第１端は、前記第２係止部に当接していて、前記第２弾性部材の前記第２端は、前記第２ラチェット具を押し込むことができる、前記第２締め付け顎は、第２固定穴を設置し、前記第２ラチェット具は、第２本体と第２軸具を有する、前記第２本体は、第２枢支穴を有し、前記第２軸具は、前記第２固定穴に固定する、前記第２本体は、第２枢転部、第２ラチェット部と第２寄り掛かり部とを有する、前記第２枢転部は、前記第２枢設部に設置していて、前記第２ラチェット部と、前記第２寄り掛かり部は、前記締め付け顎口部から露出していて、前記第２本体が前記被駆動体に噛み合わせているとき、前記第２ラチェット部と、前記被駆動体は、線の接触を形成し、前記第２弾性部材の前記第２端は、前記第２ラチェット具の前記第２寄り掛かり部を押し込むことができる、前記第２ラチェット部は、前記第２本体が前記第２枢転部の反対端の外部周縁に位置し、前記第２ラチェット部は凸弧状を形成する、前記第２寄り掛かり部は、前記第２ラチェット部が前記第２本体の軸方向に沿って延在することを特徴とする請求項１ないし請求項５のいずれか記載のラチェット機能を備えたオープンエンドスパナ。
【請求項１４】
前記第２ラチェット具と、前記第２弾性部材をさらに有し、前記回動ヘッドの前記第２締め付け顎は、前記第２収容溝を設置し、前記第２収容溝は、第２枢設部と第２係止部とを有する、前記第２ラチェット具は、前記第２枢設部に設置し、前記第２ラチェット具は、前記第２枢設部に対して枢転することができる、前記第２弾性部材は、前記第１端と前記第２端を有し、前記第２弾性部材の前記第１端は、前記第２係止部に当接していて、前記第２弾性部材の前記第２端は、前記第２ラチェット具を押し込むことができる、前記第２締め付け顎に第２固定穴を設置していて、前記第２ラチェット具は、前記第２本体と前記第２軸具を有する、前記第２本体は、第２枢支穴を有し、前記第２軸具は、前記第２固定穴に固定する、前記第２本体は、前記第２枢転部、前記第２ラチェット部と前記第２寄り掛かり部と、を有する、前記第２枢転部は、前記第２枢設部に設置していて、前記第２ラチェット部と、前記第２寄り掛かり部は、前記締め付け顎口部から露出していて、前記第２本体が前記被駆動体に噛み合わせているとき、前記第２ラチェット部と前記被駆動体は、線の接触を形成し、前記第２弾性部材の前記第２端は、前記第２ラチェット具の前記第２寄り掛かり部を押し込むことができる、前記第２収容溝部は、Ｕ字型を形成し、前記第２収容溝は、２つの前記収容部を有し、２つの前記収容部は、それぞれ前記第１表面と前記第２表面に設置する、前記第２本体は、Ｕ字型を形成し、２つの前記第２枢転部と２つの前記第２ラチェット部を有する、前記第２枢転部と前記第２ラチェット部は、それぞれ対向する両端に位置し、前記第２寄り掛かり部は、対向する２つの前記第２枢転部に連絡していて、かつ前記第２寄り掛かり部は、同時に対向する２つの前記第２ラチェット部に連絡している、前記第２枢転部の外部周縁は、円弧形を形成し、前記第２枢設部はさらに前記第２係止面を有し、前記第２係止面は、前記第２係止部を離れていて、前記第２枢転部は、前記第２係止面に当接し、前記第２ラチェット部は、平坦状を形成することを特徴とする請求項１ないし請求項３、請求項６、請求項７または請求項８のいずれか記載のラチェット機能を備えたオープンエンドスパナ。
【考案の詳細な説明】
【技術分野】
【０００１】
本考案はオープンエンドスパナに関し、特にラチェット機能を備えたオープンエンドスパナに関する。
【背景技術】
【０００２】
中華民国特許第Ｍ３８２１７７号明細書（特許文献１）抜け出し防止機能を備えたオープンエンドスパナを参照する。シャンク部、ヘッド部、抜け出し防止具と、弾性具と、を備える。シャンク部は、使用者の握持に提供し、シャンク部は、少なくとも一端にヘッド部を設置していて、ヘッド部は、第１締め付け顎、第２締め付け顎および第２締め付け顎の底部に延在する延在部と、を備える。第２締め付け顎と延在部は、六角ナットを収容するための駆動空間が繞設されている。駆動空間は、延在部遠端の開口部を有し、第１締め付け顎は、延在部の近端に設置する第１受け止め面、凹状の回転面と、第１締め付け顎の先端部と、を有する。第１受け止め面と延在部との接合点は、受け止め角を形成していて、受け止め角は、１２０度角を形成することが好ましく、六角ナットのコーナをこれに収容する。延在部は、さらに最低位置を有し、六角ナットのもう一つのコーナの寄り掛かりを提供する。第１締め付け顎の先端部は、一対の支持アームを設置し、該一対のアームの間に溝を開けていて、溝の底面は寄り掛かり面である。第１締め付け顎の先端部は、さらに収容穴を開けられている。回動面は第１係止面と第１締め付け顎の先端部との間に位置する。かつ、回動面は、弓上の凹部を設けることが好ましい。そのうち、第１締め付け顎の先端部は、さらに第２係止面向きの短い平面を有し、第２締め付け顎は、第２係止面を有する。第１、第２係止面の水平距離をｓとし、短い平面と第２係止面との水平距離は、ｓを下回らない。回転面が第２係止面に対する最大の水平距離は、１．１６ｓを下回らないことが望ましい。そのうち、六角ナットの対辺長さは、ｓよりやや小さい。
【先行技術文献】
【特許文献】
【０００３】
【特許文献１】中華民国特許第Ｍ３８２１７７号明細書
【特許文献２】中華民国特許第Ｍ３８４７４０号明細書
【考案の概要】
【考案が解決しようとする課題】
【０００４】
明らかに、前述オープンエンドスパナのヘッド部は、抜け出し防止具と弾性部材を取り付けるため、溝と収容穴を開けることが必須であり、溝を開けて、第１締め付け顎に２つの支持アームを形成するが、しかし、溝の成形方式は、２つの支持アームが折れるリスクにさらされる。かつ、収容穴は溝の底壁に設置されており、第１締め付け顎の幅は、限られていることから、収容穴は、第１締め付け顎を貫通できる深さを有する。溝と収容穴の設計によって、オープンエンドスパナのヘッド部の構造強度を弱くしているが、オープンエンドスパナのヘッド部は、回動力量を受け持ちするため、より良い構造強度が必要である。よって、前述の設計は、構造強度が不足する欠点があり、改良の必要がある。
【０００５】
引き続き、中華民国特許第Ｍ３８４７４０号明細書（特許文献２）オープンエンドスパナの構造改良を参照する。オープンエンドスパナは、シャンク部、オープンエンドスパナヘッド部と、自在締め付け顎単元からなる。そのうち、オープンエンドスパナヘッド部は、互いに連絡する穴部と、逃げ部を設置していて、上面は、逃げ部によって画定された範囲において下方へ順を追って、ポケット（ｐｏｃｋｅｔ）とチャンバ（ｃｈａｍｂｅｒ）を形成し、ポケットとチャンバは、逃げ部に隣接する側が直接に突き出していて、かつポケットの上面は、それぞれ栓穴とほぞ穴を設置している。自在締め付け顎単元は、それぞれ締め付け顎ブロック、弾性素子と、締め蓋と、を有する。締め付け顎ブロックは、その一端を利用し、上面と底面に延在していた軸レバーをほぞ穴に挿入することによって、チャンバに枢設し、斜面を有するもう一端はチャンバの中空部をくぐらす。弾性部材は、締め付け顎ブロックとチャンバとの間に設置する。締め蓋の外部形状は、ポケットの形状に合わせて設置していて、貫通穴と制限穴を有する。締め蓋は、貫通穴を利用し、ねじを通して栓穴に締め付ける。制限穴は、軸レバーの挿入に提供することによって、ポケットに固設することができるほか、チャンバの上面を閉め切ることができる。
【０００６】
この種のオープンエンドスパナは、締め付け顎ブロックの軸レバーをオープンエンドスパナヘッド部の陥没穴に挿設していて、かつ締め付け顎ブロックの斜面は、弾性部材お押し込みによって、ねじに当接している。オープンエンドスパナを使用するとき、締め付け顎ブロックは、軸レバーと陥没穴を支点として、回動される。言い換えれば、締め付け顎ブロックと軸レバーが一体型のため、軸レバーが回動するとき、回動力量は、軸レバーから締め付け顎ブロックに伝えて受け持つとなる。この種の設計により、締め付け顎ブロックは、長期のねじれ力量を受けて破損する恐れがある。さらに、締め付け顎ブロックは、軸レバーのみを支点としており、締め付け顎ブロックがねじを回す力量が不足であり、安定にねじを回すことはできない。このほか、締め付け顎ブロックとねじが面による接触は、締め付け顎ブロックとねじとの間に空転を発生し、より良い噛み合わせ力量を得ることはできない。
【課題を解決するための手段】
【０００７】
本考案の主な技術改良の手段は、第１ラチェット具と第１弾性部材は、第１収容溝に対応し、第２ラチェット具は、第２収容溝に対応する。第１収容溝と第２収容溝の成形方式は、回動ヘッドの構造強度に影響するや、回動ヘッドは、回動作業するときに回動ヘッドが破損しない。
【０００８】
本考案の次の技術改良の手段は、オープンエンドスパナが第１方向と第２方向の間にて、切換え回動することができる。オープンエンドスパナが第１方向に回動するとき、オープンエンドスパナは、被駆動体の回動に対して空転する。そして、オープンエンドスパナが第２方向に回動するとき、オープンエンドスパナは、被駆動体を駆動回動することができる。
【０００９】
本考案もう一つの技術改良手段は、オープンエンドスパナが第１方向に回動しているとき、オープンエンドスパナは、被駆動体に対してラチェット効果を形成し、被駆動体は弧形溝の内部において空転することができる。
【００１０】
本考案のさらに一つの技術改良手段は、第１ラチェット具の第１本体は、第１係止部に当接していて、第１ラチェット具と第１収容溝との間は、抵抗力を発生することができる。第２ラチェット具の第２本体は、第２係止部に当接していて、第２ラチェット具と第２収容溝との間は、抵抗力を発生することができる。
【００１１】
本考案のまた一つの技術改良手段は、第１本体が被駆動体に噛み合わせたとき、第１本体の第１ラチェット部と被駆動体は、線の接触を形成し、第２本体の第２ラチェット部と被駆動体は線の接触を形成する。オープンエンドスパナによって、被駆動体を駆動回動したとき、オープンエンドスパナと被駆動体との噛み合わせ力量は、線の接触を形成していて、滑らない長所を有する。
【００１２】
本考案のまた一つの技術改良手段は、第１ラチェット具は、第１本体と第１軸具を有し、第１本体が回動するとき、第１本体は空転を形成し、第１本体は第１軸具の回動力量を受け持つ必要はなく、破損を避けることができる。第２ラチェット具は、第２軸具を有し、第２本体が回動するとき、第２本体は空転を形成し、第２本体は第２軸具の回動力量を受け持つ必要はなく、破損を避けることができる。
【図面の簡単な説明】
【００１３】
【図１】本考案の実施例１のラチェット機能を備えたオープンエンドスパナの立体外観図である。
【図２】本考案の実施例１のラチェット機能を備えたオープンエンドスパナの立体分解図である。
【図３】本考案の実施例１のラチェット機能を備えたオープンエンドスパナもう一つの視角による立体分解図である。
【図４】本考案の実施例１のラチェット機能を備えたオープンエンドスパナの断面視図であり、第１ラチェット具と第２ラチェット具が対向状を形成する態様図である。
【図５】本考案の実施例１のラチェット機能を備えたオープンエンドスパナの断面視図であり、第１ラチェット具と第２ラチェット具を回動ヘッドに設置する態様図である。
【図６】本考案の図４からとった細部拡大図である。
【図７】本考案の実施例１のラチェット機能を備えたオープンエンドスパナに被駆動体を装着した態様図であり、被駆動体が開口端に位置することを示す図である。
【図８】本考案の実施例１のラチェット機能を備えたオープンエンドスパナに被駆動体を装着した態様図であり、被駆動体が弧状溝に位置することを示す図である。
【図９】本考案の実施例１のラチェット機能を備えたオープンエンドスパナを第１方向に回動する態様図であり、被駆動体が第１ラチェット具と第２ラチェット具を圧迫していることを示す態様図である。
【図１０】本考案の実施例１のラチェット機能を備えたオープンエンドスパナを第１方向に回動する態様図であり、オープンエンドスパナが被駆動体に対して空転することを示す態様図である。
【図１１】本考案の実施例１のラチェット機能を備えたオープンエンドスパナを第１方向に回動する態様図であり、オープンエンドスパナが被駆動体に対してラチェット効果を発生することを示す態様図である。
【図１２】本考案の実施例１のラチェット機能を備えたオープンエンドスパナを第２方向に回動する態様図であり、オープンエンドスパナが被駆動体を駆動することを示す態様図である。
【図１３】本考案の実施例１のラチェット機能を備えたオープンエンドスパナを第２方向に回動する態様図であり、オープンエンドスパナが引き続き被駆動体を駆動することを示す態様図である。
【図１４】本考案の実施例２のラチェット機能を備えたオープンエンドスパナの立体外観図である。
【図１５】本考案の実施例２のラチェット機能を備えたオープンエンドスパナの立体分解図である。
【図１６】本考案の実施例２のラチェット機能を備えたオープンエンドスパナもう一つの視角による立体分解図である。
【図１７】本考案の実施例２のラチェット機能を備えたオープンエンドスパナの断面視図であり、第１ラチェット具と第２ラチェット具が対向状を形成する態様図である。
【図１８】本考案の実施例２のラチェット機能を備えたオープンエンドスパナの断面視図であり、第１ラチェット具と第２ラチェット具を回動ヘッドに設置する態様図である。
【図１９】本考案の図１８からとった細部拡大図である。
【図２０】本考案の実施例２のラチェット機能を備えたオープンエンドスパナを第１方向に回動する態様図であり、被駆動体が第１ラチェット具と第２ラチェット具を圧迫していることを示す態様図である。
【図２１】本考案の実施例２のラチェット機能を備えたオープンエンドスパナを第１方向に回動する態様図であり、オープンエンドスパナが被駆動体に対して空転することを示す態様図である。
【図２２】本考案の実施例２のラチェット機能を備えたオープンエンドスパナを第１方向に回動する態様図であり、オープンエンドスパナが被駆動体に対してラチェット効果を発生することを示す態様図である。
【図２３】本考案の実施例２のラチェット機能を備えたオープンエンドスパナを第２方向に回動する態様図であり、オープンエンドスパナが被駆動体を駆動することを示す態様図である。
【図２４】本考案の実施例３のラチェット機能を備えたオープンエンドスパナの態様図である。
【図２５】本考案の実施例４のラチェット機能を備えたオープンエンドスパナの態様図である。
【考案を実施するための形態】
【実施例】
【００１４】
図１ないし５、本考案の実施例１におけるラチェット機能を備えたオープンエンドスパナの立体外観図、立体分解図と、断面視図を参照する。本考案のオープンエンドスパナは、回動ヘッド１０、第１ラチェット具２０、第１弾性部材３０、第２ラチェット具４０と、第２弾性部材５０と、を備える。
【００１５】
そのうち、回動ヘッド１０は、第１表面１０１と第２表面１０２を有し、回動ヘッド１０は、第１締め付け顎１１、第２締め付け顎１２と、締め付け顎口部１３を有する。第１締め付け顎１１と第２締め付け顎１２は、対向していて、かつ締め付け顎口部１３は、第１締め付け顎１１と第２締め付け顎１２との間に位置し、締め付け顎口部１３は、開口端１３１を有する。
【００１６】
第１締め付け顎１１に、第１収容溝１１１と第１固定穴１１２を設置し、第１収容溝１１１は、第１表面１０１と締め付け顎口部１３に連絡しており、第１収容溝１１１は、第２表面１０２を貫通していない。第１固定穴１１２は、第１収容溝１１１と第２表面１０２に連絡する。
【００１７】
第１収容溝１１１は、第１枢設部１１３と第１係止部１１４とを有し、第１枢設部１１３、第１係止部１１４と締め付け顎口部１３が隣接していて、かつ連絡する。第１枢設部１１３および第１係止部１１４は、弧形を形成し、第１枢設部１１３はさらに、第１係止面ｘを含む。本実施例において、第１係止面ｘは、第１係止部１１４の遠端に設置する。
【００１８】
第２締め付け顎１２に、第２収容溝１２１と第２固定穴１２２を設置し、第２収容溝１２１は、第１表面１０１と締め付け顎口部１３に連絡しており、第２収容溝１２１は、第２表面１０２を貫通していない。第２固定穴１２２は、第２収容溝１２１と第２表面１０２に連絡する。第２収容溝１２１は、第２枢設部１２３と第２係止部１２４とを有し、第２枢設部１２３、第２係止部１２４と締め付け顎口部１３が隣接していて、かつ連絡する。第２枢設部１２３および第２係止部１２４は、弧形を形成し、第２枢設部１２３はさらに、第２係止面ｙを含む。本実施例において、第２係止面ｙは、第２係止部１２４の遠端に設置する。
【００１９】
第１収容溝１１１と第２収容溝１２１は、それぞれ第１締め付け顎１１と第２締め付け顎１２の対向位置にあり、第１収容溝１１１は開口端１３１の付近部にあり、第２収容溝１２１は開口端１３１の遠方にある。かつ第１係止部１１４は、開口端１３１の付近部にあり、第２係止部１２４は開口端１３１の遠方にある。
【００２０】
第１収容溝１１１と第２収容溝１２１は、第１表面１０１から第２表面１０２に延在し、第１ラチェット具２０と第１弾性部材３０は、第１収容溝槽１１１に対応していて、第２ラチェット具４０と第２弾性部材５０は第２収容溝１２１に対応する。第１収容溝１１１と第２収容溝１２１の成形方式は、回動ヘッド１０の構造強度に影響するや、回動ヘッド１０は、回動作業するときに回動ヘッド１０が破損しにくい。
【００２１】
締め付け顎口部１３の開口端１３１は、２つの平坦表面１３２を設置していて、２つの平坦表面１３２の間は、開口端１３１である。締め付け顎口部１３はさらに、弧形溝１３３を有する。弧形溝１３３は第１収容溝１１１と第２収容溝１２１に連絡する。
【００２２】
図６を併せて参照する。第１ラチェット具２０と第１弾性部材３０は第１収容溝１１１の第１枢設部１１３に設置していて、第１ラチェット具２０は、第１枢設部１１３に対して枢転することができる。第１ラチェット具２０は、第１本体２１と第１軸具２２を有する。第１本体２１は、第１枢転部２１１、第１ラチェット部２１２と第１寄り掛かり部２１３を有する。第１枢転部２１１の外部周縁は円弧形を形成し、第１枢転部２１１は、第１枢設部１１３に設置していて、かつ第１枢転部２１１は、第１係止面ｘに当接する。第１枢転部２１１に第１枢支穴２１４を形成し、第１軸具２２を第１枢支穴２１４に貫設し、第１軸具２２を第１固定穴１１２に固定する。
【００２３】
第１ラチェット部２１２は、第１本体２１が第１枢転部２１１の反対端の外部周縁に位置していて、第１ラチェット部２１２は凸弧状を形成する。第１寄り掛かり部２１３は、第１ラチェット部２１２から第１本体２１の軸方向に沿って延在していて、第１ラチェット部２１２と第１寄り掛かり部２１３は、締め付け顎口部１３より露出する。
【００２４】
２つの平坦表面１３２は、それぞれ弧状溝１３３に向かって仮想線Ｌを伸ばしていて、第１ラチェット部２１２は、仮想線Ｌを超えていない。
【００２５】
第１軸具２２は、第１枢支穴２１４に貫設し、第１固定穴１１２に固定する。第１軸具２２によって、第１本体２１を第１収容溝１１１の内部に制限し、第１軸具２２は、第１固定穴１１２に固定する。第１軸具２２は、回動ヘッド１０に対して回動されず、第１本体２１のみが回動ヘッド１０に対して回動する。第１本体２１が回動するとき、第１本体２１は空転を形成し、第１本体２１は、第１軸具２２の回動力量を受け持つ必要はなく、第１本体２１は、回動力量を受け持つ必要はないため、破損を避けることができる。
【００２６】
第１弾性部材３０は、ねじりばねを実施する。第１端３１と第２端３２を有し、第１弾性部材３０の第１端３１は、第１係止部１１４に当接していて、第１弾性部材３０の第２端３２は、第１ラチェット具２０の第１寄り掛かり部２１３を押し込むことができる。オープンエンドスパナは、第１方向と第２方向の間にて、切換え回動することができる。オープンエンドスパナが第１方向に回動するとき、オープンエンドスパナは、被駆動体Ａに対して空転を形成し、第１ラチェット具２０は、被駆動体Ａに対して、ラチェット運動する。オープンエンドスパナが第２方向に回動するとき、オープンエンドスパナは、被駆動体Ａを駆動回動することができる。
【００２７】
第２ラチェット具４０と、第２弾性部材５０は、第２収容溝１２１の第２枢設部１２３に設置し、第２ラチェット具４０は、第２枢設部１２３に対して枢転する。第２ラチェット具４０は、第２本体４１と、第２軸具４２を有する。第２本体４１は、第２枢転部４１１、第２ラチェット部４１２と第２寄り掛かり部４１３を有する。第２枢転部４１１の外部周縁は円弧形を形成し、第２枢転部４１１は、第２枢設部１２３に設置していて、かつ第２枢転部４１１は、第１係止面ｙに当接する。第２枢転部４１１に第２枢支穴４１４を形成し、第２軸具４２を第２枢支穴４１４に貫設し、第２軸具４２を第２固定穴１２２に固定する。
【００２８】
第２ラチェット部４１２は、第２本体４１の第２端４１２の外部周縁に位置し、第２ラチェット部４１２は、凸弧状を形成する。第２寄り掛かり部４１３は、第２ラチェット部４１２から第２本体４１の軸方向に沿って延在していて、第２ラチェット部４１２と第２寄り掛かり部４１３は、締め付け顎口部１３より露出する。
【００２９】
第２ラチェット部４１２は、仮想線Ｌを超えない。
【００３０】
第２軸具４２は、第２枢支穴４１４に貫設し、第２固定穴１２２に固定する。第２軸具４２によって、第２本体４１を第２収容溝１２１の内部に制限し、第２軸具４２は、第２固定穴１２２に固定する。第２軸具４２は、回動ヘッド１０に対して回動されず、第２本体４１のみが回動ヘッド１０に対して回動する。第２本体４１が回動するとき、第２本体４１は空転を形成し、第２本体４１は、第２軸具４２の回動力量を受け持つ必要はなく、第２本体４１は、回動力量を受け持つ必要はないため、破損を避けることができる。
【００３１】
第２弾性部材５０は、ねじりばねを実施する。第１端５１と第２端５２を有し、第２弾性部材５０の第１端５１は、第２係止部１２４に当接していて、第２弾性部材５０の第２端５２は、第２ラチェット具４０の第２寄り掛かり部４１３を押し込むことができる。オープンエンドスパナは、第１方向と第２方向の間にて、切換え回動することができる。オープンエンドスパナが第１方向に回動するとき、オープンエンドスパナは、被駆動体Ａに対して空転を形成し、第２ラチェット具４０は、被駆動体Ａに対して、ラチェット運動する。オープンエンドスパナが第２方向に回動するとき、オープンエンドスパナは、被駆動体Ａを駆動回動することができる。
【００３２】
図７と図８、本考案のオープンエンドスパナに被駆動体Ａを装着した態様図を参照する。被駆動体Ａは、吻合するように締め付け顎口部１３の開口端１３１の２つの平坦表面１３２より、弧形溝１３３に伸ばしていて、このとき、被駆動体Ａは、２つの平坦表面１３２から完全に離脱している。被駆動体Ａが完全に弧形溝１３３に伸ばしたとき、第１ラチェット具２０と第２ラチェット具４０は、被駆動体Ａに当接する。オープンエンドスパナの締め付け顎口部１３は、仮想円Ｃを有し、仮想円Ｃの局所は、弧形溝１３３と重なる。第１ラチェット具２０の第１ラチェット部２１２と第２ラチェット具４０の第２ラチェット部４１２は、仮想円Ｃの内外において、切換え改変することができる。
【００３３】
第１ラチェット具２０の第１本体２１は、第１係止面ｘに当接し、第１ラチェット具２０と第１収容溝１１１との間は、抵抗力を発生することができる。第２ラチェット具４０の第２本体４１は、第２係止部ｙに当接していて、第２ラチェット具４０と第２収容溝１２１との間は、抵抗力を発生することができる。
【００３４】
第１本体２１が被駆動体Ａに噛み合わせたとき、第１本体２１の第１ラチェット部２１２と被駆動体Ａは、線の接触を形成し、第２本体４１の第２ラチェット部４１２と被駆動体Ａは線の接触を形成する。オープンエンドスパナによって、被駆動体Ａを駆動回動したとき、オープンエンドスパナと被駆動体Ａとの噛み合わせ力量は、線の接触を形成していて、滑らない長所を有する。
【００３５】
図９ないし１１、本考案の実施例１のラチェット機能を備えたオープンエンドスパナを第１方向に回動する態様図を参照する。オープンエンドスパナは、第１方向と第２方向の間において、切換え回動することができる。オープンエンドスパナを第１方向に回動するとき、オープンエンドスパナは、被駆動体Ａに対して空転を形成し、第１ラチェット具２０と第２ラチェット具４０は、被駆動体Ａに対してラチェット運動する。
【００３６】
オープンエンドスパナの締め付け顎口部１３によって、被駆動体Ａを収容する。このとき、第１ラチェット具２０の第１ラチェット部２１２が第１弾性部材３０の第２端３２に押されて、被駆動体Ａに当接したとき、第１ラチェット部２１２は、仮想円Ｃの内部にいる。第２ラチェット具４０の第２ラチェット部４１２が第２弾性部材５０の第２端５２に押されて、被駆動体Ａに当接したとき、第２ラチェット部４１２は、仮想円Ｃの内部にいる。オープンエンドスパナが第１方向に回動するとき、第１ラチェット具２０の第１ラチェット部２１２と、第２ラチェット具４０の第２ラチェット部４１２とも被駆動体Ａの圧迫を受け、第１ラチェット部２１２が第１弾性部材３０の第２端３２を圧迫し、第２ラチェット部４１２が第２弾性部材５０の第２端５２を圧迫することによって、オープンエンドスパナが被駆動体Ａに対して、ラチェット効果を形成する。被駆動体Ａは弧形溝１３３の内部にて空転していて、第１ラチェット部２１２は、仮想円Ｃの内外に移動し、第２ラチェット部４１２は、仮想円Ｃの内外に移動する。
【００３７】
図１２と図１３、本考案の実施例１のラチェット機能を備えたオープンエンドスパナを第２方向に回動する態様図を参照する。オープンエンドスパナが第２方向に回動するとき、第１ラチェット具２０と第２ラチェット具４０は、被駆動体Ａに当接していて、オープンエンドスパナは、被駆動体Ａを駆動回動することができる。
【００３８】
オープンエンドスパナが第２方向に回動するとき、第１ラチェット具２０の第１ラチェット部２１２は、第１弾性部材３０の第２端３２に押されて、被駆動体Ａに当接する。第２ラチェット具４０の第２ラチェット部４１２が第２弾性部材５０の第２端５２の押し込みを受けて、被駆動体Ａに当接する。オープンエンドスパナが第２方向に回動するとき、第１ラチェット具２０と第２ラチェット具４０が被駆動体Ａに当接する力量によって、オープンエンドスパナは、被駆動体Ａを回動することができる。
【００３９】
図１４ないし１８、本考案の実施例２のラチェット機能を備えたオープンエンドスパナの態様図を参照する。本考案の実施例２のオープンエンドスパナは、回動ヘッド１０ａ、第１ラチェット具２０ａ、第１弾性部材３０、第２ラチェット具４０ａと、第２弾性部材５０と、を備える。そのうち、
【００４０】
回動ヘッド１０ａは、第１表面１０１ａと第２表面１０２ａを有し、回動ヘッド１０ａは、第１締め付け顎１１ａ、第２締め付け顎１２ａと、締め付け顎口部１３ａを有する。第１締め付け顎１１ａと第２締め付け顎１２ａは、対向していて、かつ締め付け顎口部１３ａは、第１締め付け顎１１ａと第２締め付け顎１２ａとの間に位置し、締め付け顎口部１３ａは、開口端１３１ａを有する。
【００４１】
第１締め付け顎１１ａは、第１収容溝１１１ａと第１固定穴１１２ａを設置していて、第１収容溝１１１ａはＵ字型を形成する。第１収容溝１１１ａは、２つの第１収容部１１１１ａを有し、２つの第１収容部１１１１ａは、それぞれ第１表面１０１ａと第２表面１０２ａに設置する。第１固定穴１１２ａは、第１表面１０１ａと第２表面１０２ａとの間に位置していて、第１固定穴１１２ａは、２つの第１収容部１１１１ａに貫設する。
【００４２】
第１収容溝１１１ａは、第１枢設部１１３ａと第１係止部１１４ａとを有し、第１枢設部１１３ａ、第１係止部１１４ａと締め付け顎口部１３ａが隣接していて、かつ連絡する。第１枢設部１１３ａおよび第１係止部１１４ａは、弧形を形成し、第１枢設部１１３ａはさらに、第１係止面ｘを含む。本実施例において、第１係止面ｘは、第１係止部１１４ａの遠端に設置する。２つの対向する第１収容部１１１１ａの間において、第１逃げ溝１１５ａを形成する。
【００４３】
第２締め付け顎１２ａに、第２収容溝１２１ａと第２固定穴１２２ａを設置していて、第２収容溝１２１ａは、Ｕ字型を形成する。第２収容溝１２１ａは、２つの第２収容部１２１１ａを有し、２つの第２収容部１２１１ａは、それぞれ第１表面１０１ａと第２表面１０２ａに設置する。第２固定穴１２２ａは、第１表面１０１ａと第２表面１０２ａとの間に位置していて、第２固定穴１２２ａは、２つの第２収容部１２１１ａに貫設する。
【００４４】
第２収容溝１２１ａは、第２枢設部１２３ａと第２係止部１２４ａとを有し、第２枢設部１２３ａ、第２係止部１２４ａと締め付け顎口部１３ａが隣接していて、かつ連絡する。第２枢設部１２３ａおよび第２係止部１２４ａは、弧形を形成し、第２枢設部１２３ａはさらに、第２係止面ｙを含む。本実施例において、第２係止面ｙは、第２係止部１２４ａの遠端に設置する。２つの第２収容部１２１１ａの間において、第２逃げ溝１２５ａを形成する。
【００４５】
第１収容溝１１１ａと第２収容溝１２１ａは、それぞれ第１締め付け顎１１ａと第２締め付け顎１２ａの対向位置にあり、第１収容溝１１１ａは開口端１３１ａの付近部にあり、第２収容溝１２１ａは開口端１３１ａの遠方にある。かつ第１係止部１１４ａは、開口端１３１ａの付近部にあり、第２係止部１２４ａは、開口端１３１ａの遠方にある。
【００４６】
第１ラチェット具２０ａと第１弾性部材３０は、第１収容溝１１１ａに対応し、第２ラチェット具４０ａと、第２弾性部材５０は、第２収容部１２１ａに対応する。第１収容溝１１１ａと第２収容溝１２１ａの成形方式は、回動ヘッド１０ａの構造強度に影響するや、回動ヘッド１０ａは、回動作業するときに回動ヘッド１０ａが破損しにくい。
【００４７】
締め付け顎口部１３ａの開口端１３１ａは、２つの平坦表面１３２ａを設置していて、２つの平坦表面１３２ａの間は、開口端１３１である。締め付け顎口部１３ａはさらに、弧形溝１３３ａを有する。弧形溝１３３ａは。第１収容溝１１１ａと第２収容溝１２１ａに連絡する。
【００４８】
図１９を併せて参照する。第１ラチェット具２０ａと第１弾性部材３０は第１収容溝１１１ａの第１枢設部１１３ａに設置していて、第１ラチェット具２０ａは、第１枢設部１１３ａに対して枢転することができる。第１ラチェット具２０ａは、第１本体２１ａと第１軸具２２を有する。第１本体２１ａは、Ｕ字型を形成し、２つの第１枢転部２１１ａ、２つの第１ラチェット部２１２ａと一つの第１寄り掛かり部２１３ａを有する。第１枢転部２１１ａと、第１ラチェット部２１２ａは、それぞれ対向する両端に位置し、第１寄り掛かり部２１３ａは、対向する２つの第１枢転部２１１ａに連絡していて、かつ第１寄り掛かり部２１３ａも対向する２つの第１ラチェット部２１２ａに連絡している。
【００４９】
第１枢転部２１１ａの外部周縁は、円弧形を形成し、第１枢転部２１１ａは、第１枢設部１１３ａに設置し、かつ第１枢転部２１１ａは、第１係止面ｘに当接する。第１枢転部２１１ａに第１枢支穴２１４ａを形成する。第１軸具２２は、第１枢支穴２１４ａを貫設していて、かつ第１軸具２２は、第１固定穴１１２ａに固定する。
【００５０】
第１本体２１ａは、２つの第１ラチェット部２１２ａを設置し、２つの第１ラチェット部２１２ａは、第１本体２１ａに対向する両端に位置していて、第１ラチェット部２１２ａは、平坦状を形成する。第１ラチェット具２１２ａと、第１寄り掛かり部２１３ａは、締め付け顎口部１３ａに露出していて、かつ第１ラチェット部２１２ａと第１寄り掛かり部２１３ａは第１逃げ溝１１５ａに位置する。
【００５１】
２つの平坦表面１３２ａは、それぞれ弧状溝１３３ａに向かって仮想線Ｌを伸ばしていて、第１ラチェット部２１２ａは、仮想線Ｌを超えていない。かつ第１本体２１ａが回動ヘッド１０ａに対して揺動するとき、第１寄り掛かり部２１３ａは、第１逃げ溝１１５ａによって、回避効果を提供し、干渉は発生されない。
【００５２】
第１軸具２２は、第１枢支穴２１４ａに貫設し、第１固定穴１１２ａに固定する。第１軸具２２によって、第１本体２１ａを第１収容溝１１１ａの内部に制限し、第１軸具２２は、第１固定穴１１２ａに固定する。第１軸具２２は、回動ヘッド１０ａに対して回動されず、第１本体２１ａのみが回動ヘッド１０に対して回動する。第１本体２１ａが回動するとき、第１本体２１ａは空転を形成し、第１本体２１ａは、第１軸具２２の回動力量を受け持つ必要はなく、第１本体２１ａは、回動力量を受け持つ必要はないため、破損を避けることができる。
【００５３】
第１弾性部材３０は、ねじりばねを実施する。第１端３１と第２端３２を有し、第１弾性部材３０の第１端３１は、第１係止部１１４ａに当接していて、第１弾性部材３０の第２端３２は、第１ラチェット具２０ａの第１寄り掛かり部２１３ａを押し込むことができる。オープンエンドスパナは、第１方向と第２方向の間にて、切換え回動することができる。オープンエンドスパナが第１方向に回動するとき、オープンエンドスパナは、被駆動体Ａに対して空転を形成し、第１ラチェット具２０ａは、被駆動体Ａに対して、ラチェット運動する。オープンエンドスパナが第２方向に回動するとき、オープンエンドスパナは、被駆動体Ａを駆動回動することができる。
【００５４】
第２ラチェット具４０ａと、第２弾性部材５０は、第２収容溝１２１ａの第２枢設部１２３ａに設置し、第２ラチェット具４０ａは、第２枢設部１２３ａに対して枢転する。第２ラチェット具４０ａは、第２本体４１ａと、第２軸具４２を有する。第２本体４１ａは、Ｕ字型を形成し、２つの第２枢転部４１１ａ、２つの第２ラチェット部４１２ａと、一つの第２寄り掛かり部４１３ａを有する。第２寄り掛かり部４１３ａは、対向する２つの第２枢転部４１１ａに連絡していて、かつ第２寄り掛かり部４１３ａも対向する２つの第２ラチェット部４１２ａに連絡している。
【００５５】
第２枢転部４１１ａの外部周縁は、円弧形を形成し、第２枢転部４１１ａは、第２枢設部１２３ａに設置し、かつ第２枢転部４１１ａは、第２係止面ｙに当接する。第２枢転部４１１ａに第２枢支穴４１４ａを形成する。第２軸具４２は、第２枢支穴４１４ａを貫設していて、かつ第２軸具４２は、第２固定穴１２２ａに固定する。
【００５６】
第２本体４１ａは、２つの第２ラチェット部４１２ａを設置し、２つの第２ラチェット部４１２ａは、第２本体４１ａに対向する両端に位置していて、第２ラチェット部４１２ａは、平坦状を形成する。第２ラチェット具４１２ａと、第２寄り掛かり部４１３ａは、締め付け顎口部１３ａに露出していて、かつ第２ラチェット部４１２ａと第２寄り掛かり部４１３ａは第２逃げ溝１２５ａに位置する。第２ラチェット部４１２ａは、仮想線Ｌを超えない。かつ第２本体４１ａが回動ヘッド１０ａに対して揺動するとき、第２寄り掛かり部４１３ａは、第２逃げ溝１２５ａによって、回避効果を提供し、干渉は発生されない。
【００５７】
第２軸具４２は、第２枢支穴４１４ａに貫設し、第２固定穴１２２ａに固定する。第２軸具４２によって、第２本体４１ａを第２収容溝１２１ａの内部に制限し、第２軸具４２は、第２固定穴１２２ａに固定する。第２軸具４２は、回動ヘッド１０ａに対して回動されず、第２本体４１ａのみが回動ヘッド１０ａに対して回動する。第２本体４１ａが回動するとき、第２本体４１ａは空転を形成し、第２本体４１ａは、第２軸具４２の回動力量を受け持つ必要はなく、第２本体４１ａは、回動力量を受け持つ必要はないため、破損を避けることができる。
【００５８】
第２弾性部材５０は、ねじりばねを実施する。第１端５１と第２端５２を有し、第２弾性部材５０の第１端５１は、第２係止部１２４ａに当接していて、第２弾性部材５０の第２端５２は、第２ラチェット具４０ａの第２寄り掛かり部４１３ａを押し込むことができる。オープンエンドスパナは、第１方向と第２方向の間にて、切換え回動することができる。オープンエンドスパナが第１方向に回動するとき、オープンエンドスパナは、被駆動体Ａに対して空転を形成し、第２ラチェット具４０ａは、被駆動体Ａに対して、ラチェット運動する。オープンエンドスパナが第２方向に回動するとき、オープンエンドスパナは、被駆動体Ａを駆動回動することができる。
【００５９】
図２０ないし２３、本考案のオープンエンドスパナに被駆動体を装着した態様図を参照する。被駆動体Ａは、吻合するように締め付け顎口部１３ａの開口端１３１ａの２つの平坦表面１３２ａより、弧形溝１３３ａに伸ばしていて、このとき、被駆動体Ａは、２つの平坦表面１３２ａから完全に離脱している。被駆動体Ａが完全に弧形溝１３３ａに伸ばしたとき、第１ラチェット具２０ａと第２ラチェット具４０ａは、被駆動体Ａに当接する。オープンエンドスパナの締め付け顎口部１３ａは、仮想円Ｃを有し、仮想円Ｃの局所は、弧形溝１３３ａと重なる。第１ラチェット具２０ａの第１ラチェット部２１２ａと第２ラチェット具４０ａの第２ラチェット部４１２ａは、仮想円Ｃの内外において、切換え改変することができる。
【００６０】
第１ラチェット具２０ａの第１本体２１ａは、第１係止面ｘに当接し、第１ラチェット具２０ａと第１収容溝１１１ａとの間は、抵抗力を発生することができる。第２ラチェット具４０ａの第２本体４１ａは、第２係止面ｙに当接し、第２ラチェット具４０ａと第２収容溝１２１１ａとの間は、抵抗力を発生することができる。
【００６１】
第１本体２１ａが被駆動体Ａに噛み合わせたとき、第１本体２１ａの第１ラチェット部２１２ａと被駆動体Ａは、線の接触を形成し、第２本体４１ａの第２ラチェット部４１２ａと被駆動体Ａは線の接触を形成する。オープンエンドスパナによって、被駆動体Ａを駆動回動したとき、オープンエンドスパナと被駆動体Ａとの噛み合わせ力量は、線の接触を形成していて、滑らない長所を有する。
【００６２】
オープンエンドスパナは、第１方向と第２方向の間において、切換え回動することができる。オープンエンドスパナを第１方向に回動するとき、オープンエンドスパナは、被駆動体Ａに対して空転を形成し、第１ラチェット具２０ａと第２ラチェット具４０ａは、被駆動体Ａに対してラチェット運動する。
【００６３】
オープンエンドスパナの締め付け顎口部１３ａによって、被駆動体Ａを収容する。このとき、第１ラチェット具２０ａの第１ラチェット部２１２ａが第１弾性部材３０の第２端３２に押されて、被駆動体Ａに当接したとき、第１ラチェット部２１２ａは、仮想円Ｃの内部にいる。第２ラチェット具４０ａの第２ラチェット部４１２ａが第２弾性部材５０の第２端５２に押されて、被駆動体Ａに当接したとき、第２ラチェット部４１２ａは、仮想円Ｃの内部にいる。オープンエンドスパナが第１方向に回動するとき、第１ラチェット具２０ａの第１ラチェット部２１２ａと、第２ラチェット具４０ａの第２ラチェット部４１２ａとも被駆動体Ａの圧迫を受け、第１ラチェット部２１２ａが第１弾性部材３０の第２端３２を圧迫し、第２ラチェット部４１２ａが第２弾性部材５０の第２端５２を圧迫することによって、オープンエンドスパナが被駆動体Ａに対して、ラチェット効果を形成する。被駆動体Ａは弧形溝１３３ａの内部にて空転していて、第１ラチェット部２１２ａは、仮想円Ｃの内外に移動し、第２ラチェット部４１２ａは、仮想円Ｃの内外に移動する。
【００６４】
オープンエンドスパナが第２方向に回動するとき、第１ラチェット具２０ａと第２ラチェット具４０ａは、被駆動体Ａに当接していて、オープンエンドスパナは、被駆動体Ａを駆動回動することができる。
【００６５】
オープンエンドスパナが第２方向に回動するとき、第１ラチェット具２０ａの第１ラチェット部２１２ａは、第１弾性部材３０の第２端３２に押されて、被駆動体Ａに当接する。第２ラチェット具４０ａの第２ラチェット部４１２ａが第２弾性部材５０の第２端５２の押し込みを受けて、被駆動体Ａに当接する。オープンエンドスパナが第２方向に回動するとき、第１ラチェット具２０２と第２ラチェット具４０２が被駆動体Ａに当接する力量によって、オープンエンドスパナは、被駆動体Ａを回動することができる。
【００６６】
図２４、本考案の実施例３のラチェット機能を備えたオープンエンドスパナの態様図を参照する。実施例２と実施例１は、第１本体２１ｂと第２本体４１ｂの形状、および第１係止面ｘと、第２係止面ｙの位置が異なる。実施例３の第１本体２１ｂと第２本体４１ｂともメニスカス状を形成する。第１本体２１ｂは、第１収容溝１１１の第１枢設部１１３に設置していて、第１本体２１ｂは、第１枢設部１１３に対して枢転することができる。第１本体２１ｂ他の構造や特徴は、実施例１に同じであり、ここでの説明を省略する。
【００６７】
実施例３の第１係止面ｘは、第１係止部１１４の付近部に位置し、第２係止面ｙは、第２係止部１２４の付近部に位置する。
【００６８】
第２本体４１ｂは、第２収容溝１２１の第２枢設部１２３に設置していて、第２本体４１ｂは、第２枢設部１２３に対して枢転することができる。第２本体４１ｂ他の構造や特徴は、実施例１に同じであり、ここでの説明を省略する。
【００６９】
図２５、本考案の実施例４のラチェット機能を備えたオープンエンドスパナの態様図を参照する。実施例４と実施例１は、第１本体２１ｃと第２本体４１ｖの形状、および第１係止面ｘと、第２係止面ｙの位置が異なる。実施例４において、第１本体２１ｃと第２本体４１ｃとも三日月状を形成する。第１本体２１ｃは、第１収容溝１１１の第１枢設部１１３に設置していて、第１本体２１ｃは、第１枢設部１１３に対して枢転することができる。第１本体２１ｃ他の構造や特徴は、実施例１に同じであり、ここでの説明を省略する。
【００７０】
実施例４の第１係止面ｘは、第１係止部１１４の付近部に位置し、第２係止面ｙは、第２係止部１２４の付近部に位置する。
【００７１】
第２本体４１ｃは、第２収容溝１２１の第２枢設部１２３に設置していて、第２本体４１ｃは、第２枢設部１２３に対して枢転することができる。第２本体４１ｃ他の構造や特徴は、実施例１に同じであり、ここでの説明を省略する。
【符号の説明】
【００７２】
１０      回動ヘッド
１０１    第１表面
１０２    第２表面
１１      第１締め付け顎
１１１    第１収容溝
１１２    第１固定穴
１１３    第１枢設部
１１４    第１係止部
１２      第２締め付け顎
１２１    第２収容溝
１２２    第２固定穴
１２３    第２枢設部
１２４    第２係止部
１３      締め付け顎口部
１３１    開口端
１３２    平坦表面
１３３    弧状溝
２０      第１ラチェット具
２１      第１本体
２１１    第１枢転部
２１２    第１ラチェット部
２１３    第１寄り掛かり部
２１４    第１枢支孔
２２      第１軸具
３０      第１弾性素子
３１      第１端
３２      第２端
４０      第２ラチェット具
４１      第２本体
４１１    第２枢転部
４１２    第２ラチェット部
４１３    第２寄り掛かり部
４１４    第２枢支孔
４２      第２軸部
５０      第２弾性素子
５１      第１端
５２      第２端
１０ａ    回動ヘッド
１０１ａ    第１表面
１０２ａ    第２表面
１１ａ      第１締め付け顎
１１１ａ    第１収容溝
１１１１ａ  第１収容部
１１２ａ    第１固定穴
１１３ａ    第１枢設部
１１４ａ    第１係止部
１１５ａ    第１逃げ溝
１２ａ      第２締め付け顎
１２１ａ    第２収容溝
１２１１ａ  第２収容部
１２２ａ    第２固定穴
１２３ａ    第２枢設部
１２４ａ    第２係止部
１２５ａ    第２逃げ溝
１３ａ      締め付け顎口部
１３１ａ    開口端
１３２ａ    平坦表面
１３３ａ    弧状溝
２０ａ      第１ラチェット具
２１ａ      第１本体
２１１ａ    第１枢転部
２１２ａ    第１ラチェット部
２１３ａ    第１寄り掛かり部
２１４ａ    第１枢支孔
４０ａ      第２ラチェット具
４１ａ      第２本体
４１１ａ    第２枢転部
４１２ａ    第２ラチェット部
４１３ａ    第２寄り掛かり部
４１４ａ    第２枢支孔
２１ｂ      第１本体
４１ｂ      第２本体
２１ｃ      第１本体
４１ｃ      第２本体
ｘ          第１係止面
ｙ          第２係止面
Ａ          被駆動体
Ｃ          仮想円
Ｌ          仮想線
【図１】
0003169772.tif 000003
【図２】
0003169772.tif 000004
【図３】
0003169772.tif 000005
【図４】
0003169772.tif 000006
【図５】
0003169772.tif 000007
【図６】
0003169772.tif 000008
【図７】
0003169772.tif 000009
【図８】
0003169772.tif 000010
【図９】
0003169772.tif 000011
【図１０】
0003169772.tif 000012
【図１１】
0003169772.tif 000013
【図１２】
0003169772.tif 000014
【図１３】
0003169772.tif 000015
【図１４】
0003169772.tif 000016
【図１５】
0003169772.tif 000017
【図１６】
0003169772.tif 000018
【図１７】
0003169772.tif 000019
【図１８】
0003169772.tif 000020
【図１９】
0003169772.tif 000021
【図２０】
0003169772.tif 000022
【図２１】
0003169772.tif 000023
【図２２】
0003169772.tif 000024
【図２３】
0003169772.tif 000025
【図２４】
0003169772.tif 000026
【図２５】
0003169772.tif 000027
【手続補正書】
【提出日】平成23年6月21日(2011.6.21)
【手続補正１】
【補正対象書類名】実用新案登録請求の範囲
【補正対象項目名】全文
【補正方法】変更
【補正の内容】
【実用新案登録請求の範囲】
【請求項１】
回動ヘッド、第１ラチェット具、第１弾性部材と、を備えた、ラチェット機能を備えたオープンエンドスパナであって、
前記回動ヘッドは、第１表面と第２表面を有し、前記回動ヘッドは、第１締め付け顎、第２締め付け顎と、締め付け顎口部と、を有する、前記第１締め付け顎は、前記第２締め付け顎と対向を形成していて、かつ前記締め付け顎口部は、前記第１締め付け顎と前記第２締め付け顎との間に位置する、前記第１締め付け顎は、第１収容溝を設置していて、前記第１収容溝は、第１枢設部と第１係止部を有し、前記締め付け顎口部によって被駆動体を収容する、
前記第１ラチェット具は、第１枢設部に設置していて、前記第１ラチェット具は、前記第１枢設部に対して、枢転することができる、
前記第１弾性部材は、第１端と第２端を有し、前記第１弾性部材３０の前記第１端は、前記第１係止部に当接していて、前記第１弾性部材の前記第２端は、前記第１ラチェット具の第１寄り掛かり部を押し込むことができる、オープンエンドスパナは、第１方向と第２方向の間にて、切換え回動することができる、オープンエンドスパナが第１方向に回動するとき、オープンエンドスパナは、被駆動体に対して空転を形成し、前記第１ラチェット具は、前記被駆動体に対して、ラチェット運動する、オープンエンドスパナが第２方向に回動するとき、オープンエンドスパナは、前記被駆動体を駆動回動することができることを特徴とするラチェット機能を備えたオープンエンドスパナ。
【請求項２】
前記第１締め付け顎は、第１固定穴を設置していて、前記第１ラチェット具は、第１本体と第１軸具を有し、前記第１本体は、第１枢支穴を有し、前記第１軸具は、前記第１固定穴に固定することを特徴とする請求項１記載のラチェット機能を備えたオープンエンドスパナ。
【請求項３】
前記第１本体は、第１枢転部、第１ラチェット部と、第１寄り掛かり部とを有する、前記第１枢転部は、前記第１枢設部に設置し、前記第１ラチェット部と前記第１寄り掛かり部は、前記締め付け顎口部に露出していて、前記第１本体が前記被駆動体に噛み合わせているとき、前記第１ラチェット部と前記被駆動体は、線の接触を形成していて、前記第１弾性部材の前記第２端は、前記第１ラチェット具の前記第１寄り掛かり部を押し込むことができることを特徴とする請求項２記載のラチェット機能を備えたオープンエンドスパナ。
【請求項４】
前記第１ラチェット部は、前記第１本体が前記第１枢転部の反対端の外部周縁に位置していて、前記第１ラチェット部は、凸弧状を形成することを特徴とする請求項３記載のラチェット機能を備えたオープンエンドスパナ。
【請求項５】
前記第１寄り掛かり部は、前記第１ラチェット部より、前記第１本体の軸方向に沿って延在することを特徴とする請求項４記載のラチェット機能を備えたオープンエンドスパナ。
【請求項６】
前記第１収容溝は、Ｕ字型を形成し、前記第１収容溝は、２つの第１収容部を有し、２つの前記第１収容部は、それぞれ前記第１表面と前記第２表面に設置していて、前記第１本体は、Ｕ字型を形成し、２つの前記第１枢転部と、２つの前記第１ラチェット部を有する、前記第１枢転部と前記第１ラチェット部は、それぞれ対向する両端に位置し、前記第１寄り掛かり部は、対向する２つの前記第１枢転部に連絡していて、かつ、前記第１寄り掛かり部は、同時に対向する２つの前記第１ラチェット部に連絡することを特徴とする請求項３記載のラチェット機能を備えたオープンエンドスパナ。
【請求項７】
前記第１枢転部の外部周縁は、円弧形を形成していて、前記第１枢設部はさらに、第１係止面を有し、前記第１係止面は、前記第１係止部の遠方にあり、前記第１枢転部は、前記第１係止面に設置することを特徴とする請求項６記載のラチェット機能を備えたオープンエンドスパナ。
【請求項８】
前記第１ラチェット部は、平坦状を形成することを特徴とする請求項６記載のラチェット機能を備えたオープンエンドスパナ。
【請求項９】
前記締め付け顎口部は、開口端を有し、前記開口端は、２つの平坦表面を有する、２つの前記平坦表面の間は、前記開口端である、前記締め付け顎口部はさらに、弧形溝を有し、前記弧形溝は、前記第１収容溝に連絡し、前記平坦表面は、前記弧形溝に向かって、仮想線を延在していて、前記第１ラチェット部は、前記仮想線を超えていないことを特徴とする請求項３ないし請求項８のいずれか記載のラチェット機能を備えたオープンエンドスパナ。
【請求項１０】
前記第１ラチェット部は、さらに前記第１係止面を有し、前記第１係止面は、前記第１係止部の遠方に位置することを特徴とする請求項９記載のラチェット機能を備えたオープンエンドスパナ。
【請求項１１】
前記第１本体は、三日月状を形成していて、前記第１係止面は、前記第１係止部の付近部に位置することを特徴とする請求項１ないし請求項５のいずれか記載のラチェット機能を備えたオープンエンドスパナ。
【請求項１２】
前記第１本体は、メニスカス状を形成していて、前記第１係止面は、前記第１係止部の付近部に位置することを特徴とする請求項１ないし請求項５のいずれか記載のラチェット機能を備えたオープンエンドスパナ。
【請求項１３】
第２ラチェット具と、第２弾性部材をさらに有し、前記回動ヘッドの前記第２締め付け顎は、第２収容溝を設置し、前記第２収容溝は、第２枢設部と第２係止部とを有する、前記第２ラチェット具は、前記第２枢設部に設置し、前記第２ラチェット具は、前記第２枢設部に対して枢転することができる、前記第２弾性部材は、前記第１端と前記第２端を有し、前記第２弾性部材の前記第１端は、前記第２係止部に当接していて、前記第２弾性部材の前記第２端は、前記第２ラチェット具を押し込むことができる、前記第２締め付け顎は、第２固定穴を設置し、前記第２ラチェット具は、第２本体と第２軸具を有する、前記第２本体は、第２枢支穴を有し、前記第２軸具は、前記第２固定穴に固定する、前記第２本体は、第２枢転部、第２ラチェット部と第２寄り掛かり部とを有する、前記第２枢転部は、前記第２枢設部に設置していて、前記第２ラチェット部と、前記第２寄り掛かり部は、前記締め付け顎口部から露出していて、前記第２本体が前記被駆動体に噛み合わせているとき、前記第２ラチェット部と、前記被駆動体は、線の接触を形成し、前記第２弾性部材の前記第２端は、前記第２ラチェット具の前記第２寄り掛かり部を押し込むことができる、前記第２ラチェット部は、前記第２本体が前記第２枢転部の反対端の外部周縁に位置し、前記第２ラチェット部は凸弧状を形成する、前記第２寄り掛かり部は、前記第２ラチェット部が前記第２本体の軸方向に沿って延在することを特徴とする請求項１ないし請求項５のいずれか記載のラチェット機能を備えたオープンエンドスパナ。
【請求項１４】
前記第２ラチェット具と、前記第２弾性部材をさらに有し、前記回動ヘッドの前記第２締め付け顎は、前記第２収容溝を設置し、前記第２収容溝は、第２枢設部と第２係止部とを有する、前記第２ラチェット具は、前記第２枢設部に設置し、前記第２ラチェット具は、前記第２枢設部に対して枢転することができる、前記第２弾性部材は、前記第１端と前記第２端を有し、前記第２弾性部材の前記第１端は、前記第２係止部に当接していて、前記第２弾性部材の前記第２端は、前記第２ラチェット具を押し込むことができる、前記第２締め付け顎に第２固定穴を設置していて、前記第２ラチェット具は、前記第２本体と前記第２軸具を有する、前記第２本体は、第２枢支穴を有し、前記第２軸具は、前記第２固定穴に固定する、前記第２本体は、前記第２枢転部、前記第２ラチェット部と前記第２寄り掛かり部と、を有する、前記第２枢転部は、前記第２枢設部に設置していて、前記第２ラチェット部と、前記第２寄り掛かり部は、前記締め付け顎口部から露出していて、前記第２本体が前記被駆動体に噛み合わせているとき、前記第２ラチェット部と前記被駆動体は、線の接触を形成し、前記第２弾性部材の前記第２端は、前記第２ラチェット具の前記第２寄り掛かり部を押し込むことができる、前記第２収容溝部は、Ｕ字型を形成し、前記第２収容溝は、２つの前記収容部を有し、２つの前記収容部は、それぞれ前記第１表面と前記第２表面に設置する、前記第２本体は、Ｕ字型を形成し、２つの前記第２枢転部と２つの前記第２ラチェット部を有する、前記第２枢転部と前記第２ラチェット部は、それぞれ対向する両端に位置し、前記第２寄り掛かり部は、対向する２つの前記第２枢転部に連絡していて、かつ前記第２寄り掛かり部は、同時に対向する２つの前記第２ラチェット部に連絡している、前記第２枢転部の外部周縁は、円弧形を形成し、前記第２枢設部はさらに前記第２係止面を有し、前記第２係止面は、前記第２係止部を離れていて、前記第２枢転部は、前記第２係止面に当接し、前記第２ラチェット部は、平坦状を形成することを特徴とする請求項１ないし請求項３、請求項６、請求項７または請求項８のいずれか記載のラチェット機能を備えたオープンエンドスパナ。